(57)【特許請求の範囲】
【請求項１】
本体に対して回動自在な支持部材と、
前記支持部材に対してスライド自在に支持される蓋体と、
前記支持部材と前記蓋体との間にて、前記蓋体のスライド方向とは交差する方向にスライド自在に配置されるロック部材と、
前記ロック部材を前記蓋体のスライド方向とは交差する一方向に付勢する付勢部材とを備えた蓋を有する機器であって、
前記ロック部材には、使用者が操作可能な操作部と、前記支持部材と係合可能な規制部と、前記規制部と前記支持部材との係合を解除する解除部とが形成され、
前記支持部材には、前記蓋体が前記本体に対して閉状態であるときに、前記ロック部材の規制部が係合する第１の係合部と、前記蓋体が前記本体に対して開状態であるときに、前記ロック部材の規制部が係合する第２の係合部が形成され、
前記本体に対して閉状態である前記蓋体をスライドさせる際には、前記使用者が前記操作部を操作することで、前記付勢部材の付勢力に抗して前記ロック部材の規制部と前記第１の係合部との係合を解除し、
前記解除部は、前記本体に対して開状態である前記蓋体を閉じ方向に回動させる際に、前記本体に形成される突出部と接触することで、前記付勢部材の付勢力に抗して前記ロック部材の規制部と前記第２の係合部との係合を解除するものであって、
前記規制部と前記第２の係合部との係合を解除する際の前記ロック部材の移動量が、前記規制部と前記第１の係合部との係合を解除する際の前記ロック部材の移動量よりも小さく設定されることを特徴とする蓋を有する機器。
【発明の詳細な説明】
【技術分野】
【０００１】
本発明は、蓋を備えた機器に関するものである。
【背景技術】
【０００２】
図１０、１１は電子機器の蓋構造を説明する図である。蓋体１０４を開くには、図１０の状態から、長穴１２９に沿って蓋体１０４を図中左方向にスライドさせ、図１１に示すように、鉤片１４０と爪片１１２との係止状態を解除する。その後、蓋１０４を軸１３１を中心として、時計回り方向に回動させれば、電池１０９を挿入する開口が露出する。蓋体１０４を閉じるには、スライドさせた蓋体１０４を軸１３１を中心として、反時計回りに回動させる。そして、長孔１２９に沿って蓋体１０４を図中右方向にスライドさせると、図１０に示すように、鉤片１４０と爪片１１２が係合して、蓋体１０４が本体１０２にロックされる。
【０００３】
蓋体の回動軸がスライドする以外にも蓋体の内側にスライドする部材を有す構成も知られている（特許文献１参照）
【特許文献１】特開平１１−０８４４９６号
【発明の開示】
【発明が解決しようとする課題】
【０００４】
しかしながら、従来の技術では、蓋体１０４を開いた状態で長孔１２９に沿ってスライドさせることは可能である。しかし、スライドさせた蓋体１０４を閉じた場合には、鉤片１４０が爪片１１２の上端に当たり、蓋体１０４を本体１０２にロックすることができない。また、蓋体１０４を強く閉じると、鉤片１４０が爪片１１２に衝突して爪片１１２を破損させるおそれがある。
【０００５】
本発明は、簡単な構成で蓋体が開いた状態で蓋体が支持部材に対してスライドしない構造を提供することを目的とする。
【課題を解決するための手段】
【０００６】
本発明は、本体に対して回動自在な支持部材と、前記支持部材に対してスライド自在に支持される蓋体と、前記支持部材と前記蓋体との間にて、前記蓋体のスライド方向とは交差する方向にスライド自在に配置されるロック部材と、前記ロック部材を前記蓋体のスライド方向とは交差する一方向に付勢する付勢部材とを備えた蓋を有する機器であって、前記ロック部材には、使用者が操作可能な操作部と、前記支持部材と係合可能な規制部と、前記規制部と前記支持部材との係合を解除する解除部とが形成され、前記支持部材には、前記蓋体が前記本体に対して閉状態であるときに、前記ロック部材の規制部が係合する第１の係合部と、前記蓋体が前記本体に対して開状態であるときに、前記ロック部材の規制部が係合する第２の係合部が形成され、前記本体に対して閉状態である前記蓋体をスライドさせる際には、前記使用者が前記操作部を操作することで、前記付勢部材の付勢力に抗して前記ロック部材の規制部と前記第１の係合部との係合を解除し、前記解除部は、前記本体に対して開状態である前記蓋体を閉じ方向に回動させる際に、前記本体に形成される突出部と接触することで、前記付勢部材の付勢力に抗して前記ロック部材の規制部と前記第２の係合部との係合を解除するものであって、前記規制部と前記第２の係合部との係合を解除する際の前記ロック部材の移動量が、前記規制部と前記第１の係合部との係合を解除する際の前記ロック部材の移動量よりも小さく設定されることを特徴とする。
【発明の効果】
【０００７】
本発明によれば、蓋体が開いた状態であるときも、閉じた状態であるときも、蓋体の支持部材に対するスライドが規制される。
【発明を実施するための最良の形態】
【０００８】
図１は、本発明を実施した蓋を有する機器であるデジタルスチルカメラを底面から見た斜視図である。デジタルスチルカメラ本体１（以下、本体という）の背面には、撮像した画像を表示する液晶モニタ２と、光学ファインダー３が設けられている。
【０００９】
本体１の底面部は、メモリーカード収納室８および電池収納室４が配置され、蓋体５がメモリーカード収納室８および電池収納室４を覆うように構成されている。図２に示すように、蓋体５の内側には、電池収納室４に収納される電池の接点に接触する電池接触部６ａ、６ｂが形成される端子板６がスライド板１０に固定されている。
【００１０】
蓋体５の端部には、鉤片５ａ、５ｂが形成され、メモリーカード収納室８および電池収納室４の端部であって、鉤片５ａに対応する位置には爪片４ａが形成され、鉤片５ｂに対応する位置には爪片４ｂが形成されている。図８に示すように鉤片５ａは蓋体５の端部から板片を内向きに突出して構成されている。また、爪片４ａは電池収納室４の上面から突出した立板４ａ−２の上端から横板４ａ−１を外向きに突出して形成される。したがって蓋体５が閉じた状態にあるときには、鉤片５ａと爪片４ａとが、図８に示すように係合する。鉤片５ｂと爪片４ｂについても、鉤片５ａと爪片４ａと同様の構成となっている。
【００１１】
図３は蓋部の分解斜視図である。図３に示すように、蓋体５と支持部材１１との間にロックレバー１２（ロック部材）が配置されている。ロックレバー１２はバネ部材１３によって一方向に付勢されている。ロックレバー１２の上に支持部材１１が重ねられ、さらに支持部材１１の上にスライド板１０が重ねられている。蓋体５とスライド板１０は、支持部材１１の長穴１１ｃを貫通して固定されており、蓋体５とスライド板１０は支持部材１１の長穴１１ｃにガイドされることで、支持部材１１に対してスライド自在となっている。また、支持部材１１には本体１に接合する穴部１１ｂが形成され、穴部１１ｂを挿通する軸部材１４によって支持部材１１は本体１に対して回動自在に保持されている。コイルバネ部材１５は軸部材１４に挿通されるバネ部材で、その一端１５ａが本体１に当接し、他端１５ｂが支持部材１１に当接することで、蓋体５が開く方向の付勢力を支持部材１１に与えている。端子板６はスライド板１０に固定されている。
【００１２】
図４、５は蓋体５のスライド動作を説明する図である。図８は図４を破線で破断した断面図である。図４は、蓋体５を完全に閉じた状態を示している。この状態では、図８に示すように、鉤片５ａが爪片４ａの横板４ａ−１の下側に嵌まっている。鉤片５ｂと爪片４ｂも同様に嵌まっている。図８にて、蓋体５には貫通孔５ｃが形成されている。ロックレバー１２の操作釦１２ｃ（操作部）は使用者が操作できるように貫通孔５ｃから突出している。
【００１３】
図４の状態からロックレバー１２の操作釦１２ｃを図中上方向に押し上げると、図５に示す状態に蓋体５をスライド移動させることができる。図４の状態から図５の状態にスライドさせることで、鉤片５ａと爪片４ａとの係合と、鉤片５ｂと爪片４ｂとの係合が解除され、蓋体５はコイルバネ部材１５の付勢力によって蓋体５は開き方向に開く。
【００１４】
図６は図４の状態における蓋体５の支持部材１１とロックレバー１２の関係を説明する図である。ロックレバー１２には、規制片１２ａ（規制部）が突出形成されている。図６の状態では規制片１２ａは、支持部材１１の係合部１１ａと係合した状態でバネ部材１３で付勢されている。したがって、図６の状態では蓋体５をスライドさせることはできない。図６状態で蓋体５をスライドするには、ロックレバー１２をバネ部材１３で付勢力に抗して、図６の上方向に移動させて、規制片１２ａと係合部１１ａとの係合を解除しなければならない。図７は図５の状態における蓋体５の支持部材１１とロックレバー１２の関係を説明する図である。図７の状態では規制片１２ａは、支持部材１１の係合部１１ｄと係合した状態でバネ部材１３で付勢されている。したがって、図７の状態では蓋体５をスライドさせることはできない。図７の状態で蓋体５をスライドするには、ロックレバー１２をバネ部材１３で付勢力に抗して、図７の上方向に移動させて、規制片１２ａと係合部１１ｄとの係合を解除しなければならない。なお、規制片１２ａと係合部１１ｄとの係合が規制片１２ａと係合部１１ａとの係合よりも浅く設定されている。
【００１５】
図９は、蓋体５を開いた状態から閉じ方向に回動し、図５の状態となる直前の状態を図５の左側から見た図である。図９では蓋５を省略している。蓋体５を閉じ方向に回動させると、ロックレバー１２に形成されるロック解除部１２ｄが電池収容室４の上端面に形成される突出片４ｂ（突出部）に設けられた斜面４ｃに当接する。さらに、蓋体５を閉じ方向に回動させると、ロック解除部１２ｄが斜面４ｃに当接することで、ロックレバー１２が図９中の左方向に押され、図７に示すロックレバー１２の規制片１２ａが支持部材１１の係合部１１ｄから外れる。規制片１２ａと係合部１１ｄとの係合している状態からその係合が解除されるまでの規制片１２ａの移動量は、規制片１２ａと係合部１１ａとの係合している状態からその係合が解除されるまでの規制片１２ａの移動量よりも小さく設定されている。これは、蓋体５を閉じ方向に回動させたときに、ロック解除部１２ｄが斜面４ｃ上を滑って、規制片１２ａと係合部１１ｄとの係合を解除するまでロックレバー１２を変位させるように設定されているからである。
【００１６】
以上説明したように、本実施の形態のように蓋を構成することで、蓋体５が開状態であるときも、閉状態であるときもロックレバー１２の規制片１２ａによって蓋体５のスライド動作をロックすることができる。さらに、ロックレバー１２の一方向の移動によってによって蓋体をいずれの状態のときもロックすることができるので、簡単な構成で構成で確実な動作を実現することができる。
【図面の簡単な説明】
【００１７】
【図１】デジタルスチルカメラを底面から見た斜視図
【図２】蓋部を説明する図
【図３】蓋部の分解斜視図
【図４】蓋体５を完全に閉じた状態を説明する図
【図５】蓋体５を図４の状態からスライドさせた状態を説明する図
【図６】図４の状態における支持部材１１とロックレバー１２の関係を説明する図
【図７】図５の状態における支持部材１１とロックレバー１２の関係を説明する図
【図８】図４の破線で破断した断面図
【図９】蓋体５を開状態から閉状態に回動する途中を説明する図
【図１０】従来の蓋を説明する図
【図１１】従来の蓋を説明する図
【符号の説明】
【００１８】
４  電池収納室
５  蓋体
６  端子板
１０  スライド部材
１１  支持部材
１２  ロックレバー
【図１】
0005002282.tif 000002
【図２】
0005002282.tif 000003
【図３】
0005002282.tif 000004
【図４】
0005002282.tif 000005
【図５】
0005002282.tif 000006
【図６】
0005002282.tif 000007
【図７】
0005002282.tif 000008
【図８】
0005002282.tif 000009
【図９】
0005002282.tif 000010
【図１０】
0005002282.tif 000011
【図１１】
0005002282.tif 000012